【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
１以上の圧縮性ジューサカートリッジを受け入れるように適合された領域であって、出口とその内部に収容された食品とを含む、領域と、
前記１以上のジューサカートリッジに圧力をかけるように適合された加圧要素であって、前記領域及び前記加圧要素が、前記１以上のジューサカートリッジから抽出される流体を、前記抽出された流体又は食品が前記領域又は前記加圧要素に直接接触することなく定量吐出するように適合されて配置されている、加圧要素と、を備えるジューサ。
【請求項２】
前記１以上のジューサカートリッジの各ジューサカートリッジの前記出口を開放するように適合されて配置された切断要素又は穴あけ要素をさらに備える、請求項１に記載のジューサ。
【請求項３】
前記領域に関連する定量吐出箇所をさらに備え、前記定量吐出箇所が、前記１以上のジューサカートリッジの各ジューサカートリッジの前記出口を受け入れるように適合されて配置される、請求項１に記載のジューサ。
【請求項４】
前記領域及び前記加圧要素が、前記１以上のジューサカートリッジの各ジューサカートリッジの前記出口が前記領域及び前記加圧要素を越えて延在するように構成される、請求項３に記載のジューサ。
【請求項５】
前記１以上のジューサカートリッジの前記出口は、前記ジューサが配置される表面に対して一定の高さに維持される、請求項３又は４に記載のジューサ。
【請求項６】
前記加圧要素を変位させるように構成されて配置された駆動機構をさらに備える、請求項１〜５のいずれか１項に記載のジューサ。
【請求項７】
前記駆動機構が、固定されている加圧面に向かって前記加圧要素を変位させる、請求項６に記載のジューサ。
【請求項８】
前記駆動機構による前記加圧要素の総変位が約３８ｍｍ未満である、請求項６又は７に記載のジューサ。
【請求項９】
前記駆動機構が電気機械システムを備える、請求項６〜８のいずれか１項に記載のジューサ。
【請求項１０】
前記駆動機構が、電気モータと前記加圧要素との間に配置された動力伝達装置を含む、請求項９に記載のジューサ。
【請求項１１】
前記動力伝達装置は連結機構を含む、請求項１０に記載のジューサ。
【請求項１２】
前記ジューサのハウジングの正面に規定された凹部を備える定量吐出領域をさらに備える、請求項１〜１１のいずれか１項に記載のジューサ。
【請求項１３】
前記定量吐出領域は、供給容器を受け入れて支持するためのシェルフ又はドリップトレイをさらに備える、請求項１２に記載のジューサ。
【請求項１４】
前記加圧要素は加圧面を含み、前記加圧面の少なくとも一部は凹状面を含む、請求項１〜１３のいずれか１項に記載のジューサ。
【請求項１５】
前記加圧要素は加圧面を含み、前記加圧面は、前記加圧面の突出面積より大きい加圧面積を提供する複数の溝を含む、請求項１〜１３のいずれか１項に記載のジューサ。
【請求項１６】
前記１以上のジューサカートリッジの温度を制御するように適合された温度調節要素をさらに備える、請求項１〜１５のいずれか１項に記載のジューサ。
【請求項１７】
前記温度調節要素は、前記領域及び前記加圧要素のうちの少なくとも１つと一体化される、請求項１６に記載のジューサ。
【請求項１８】
前記１以上のジューサカートリッジをさらに備える、請求項１〜１７のいずれか１項に記載のジューサ。
【請求項１９】
前記加圧要素は水平方向に駆動される、請求項１〜１８のいずれか１項に記載のジューサ。
【請求項２０】
食品を搾汁する方法であって、
ジューサの領域に１以上のジューサカートリッジを位置決めするステップと、
加圧要素を用いて前記１以上のジューサカートリッジに圧力をかけて、その内部に収容された食品からジュースを抽出するステップと、
前記抽出されたジュースを、前記１以上のジューサカートリッジの出口から、前記抽出されたジュース又は食品が前記加圧要素又は前記領域に直接接触することなく定量吐出するステップと、を含む方法。
【請求項２１】
前記抽出されたジュースを定量吐出する前に、前記１以上のジューサカートリッジの前記出口を開放するステップをさらに含む、請求項２０に記載の方法。
【請求項２２】
前記１以上のジューサカートリッジの前記出口を開放するステップが、閾値圧力を超える圧力をかけること、前記１以上のジューサカートリッジの前記出口を切断すること、及び、前記１以上のジューサカートリッジの前記出口に穴をあけることのうちの少なくとも１つを含む、請求項２０に記載の方法。
【請求項２３】
前記１以上のジューサカートリッジに前記閾値圧力を超える圧力をかけることにより、前記１以上のジューサカートリッジに関連する１以上のシールを破壊するステップをさらに含む、請求項２０に記載の方法。
【請求項２４】
前記領域に関連する定量吐出箇所に、前記１以上のジューサカートリッジの各ジューサカートリッジの出口を受け入れるステップをさらに含む、請求項２０〜２３のいずれか１項に記載の方法。
【請求項２５】
前記出口が前記領域及び前記加圧要素を越えて延在するように前記１以上のジューサカートリッジの各ジューサカートリッジの前記出口を位置決めするステップをさらに含む、請求項２４に記載の方法。
【請求項２６】
前記１以上のジューサカートリッジの前記出口は、前記ジューサが配置される表面に対して一定の高さに維持される、請求項２４又は２５に記載の方法。
【請求項２７】
前記加圧要素を駆動機構によって変位させるステップをさらに含む、請求項２０〜２６のいずれか１項に記載の方法。
【請求項２８】
前記駆動機構が、固定されている加圧面に向かって前記加圧要素を変位させる、請求項２７に記載の方法。
【請求項２９】
前記駆動機構による前記加圧要素の総変位が約３８ｍｍ未満である、請求項２７又は２８に記載の方法。
【請求項３０】
前記駆動機構が電気機械システムを備える、請求項２７〜２９のいずれか１項に記載の方法。
【請求項３１】
前記駆動機構が、電気モータと前記加圧要素との間に配置された動力伝達装置を含む、請求項３０に記載の方法。
【請求項３２】
前記動力伝達装置は連結機構を含む、請求項３１に記載の方法。
【請求項３３】
前記ジューサのハウジングの正面に規定された凹部を備える定量吐出領域内に、前記抽出されたジュースを定量吐出するステップをさらに含む、請求項２０〜３２のいずれか１項に記載の方法。
【請求項３４】
前記定量吐出領域のシェルフ又はドリップトレイに供給容器を受け入れて支持するステップをさらに含む、請求項３３に記載の方法。
【請求項３５】
前記加圧要素は加圧面を含み、前記加圧面の少なくとも一部は凹状面を含む、請求項２０〜３４のいずれか１項に記載の方法。
【請求項３６】
前記加圧要素は加圧面を含み、前記加圧面は、前記加圧面の突出面積より大きい加圧面積を提供する複数の溝を含む、請求項２０〜３４のいずれか１項に記載の方法。
【請求項３７】
前記１以上のジューサカートリッジの温度を調節するステップをさらに含む、請求項２０〜３６のいずれか１項に記載の方法。
【請求項３８】
前記１以上のジューサカートリッジの温度は、前記領域及び前記加圧要素のうちの少なくとも１つと一体化された温度調節要素を用いて調節される、請求項３７に記載の方法。
【請求項３９】
前記加圧要素を水平方向に駆動するステップをさらに含む、請求項２０〜３８のいずれか１項に記載の方法。